(57)【要約】  需要家の受電電力量を監視するデマンド監視装置であって、デマンド時限ごとに、デマンド時限よりも前の時間における需要電力、発電電力、受電電力、デマンド時限における需要家の既知のスケジュール、および気象情報の少なくとも１つに基づいて、対象デマンド時限における受電電力を予測する予測部と、第１軸を監視対象のデマンド時限である対象デマンド時限内の時間または当該時間に対応する値の軸とし、第２軸を電力量または当該電力量に対応する値の軸とするグラフであって、現在時刻までの需要家の受電電力量と、予測部が予測した現在時刻以降の受電電力量の予測値と、需要家の契約電力に基づく目標電力量とを示すグラフを作成する作成部と、作成部が作成したグラフを、表示装置の画面上に表示する表示制御部とを備える。
2017183337.tif 000002
【特許請求の範囲】
【請求項１】
需要家の受電電力量を監視するデマンド監視装置であって、
デマンド時限ごとに、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、
第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、
前記作成部が作成した前記グラフを、表示装置の画面上に表示する表示制御部と
を備えるデマンド監視装置。
【請求項２】
前記予測部は、デマンド時限ごとに、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つと、当該デマンド時限における前記需要家の需要電力、当該デマンド時限における前記需要家の発電電力、および当該デマンド時限における前記需要家の受電電力の少なくとも１つとに基づいて、当該デマンド時限における受電電力を予測する
請求項１に記載のデマンド監視装置。
【請求項３】
前記予測部は、受電電力を予測するための複数の予測手法を用いて、前記対象デマンド時限における受電電力を複数予測し、
前記作成部は、前記現在時刻以降の受電電力量の予測値として、前記予測部が予測した前記現在時刻以降の受電電力量の複数の予測値を示した前記グラフを作成する
請求項１または請求項２に記載のデマンド監視装置。
【請求項４】
需要家の受電電力量を監視するデマンド監視装置であって、
前記需要家の需要電力を予測した予測需要電力に基づいて、前記需要家に設置された電力機器の運転計画を算出することにより、前記需要家の受電電力の計画値である計画受電電力を算出する計画算出部と、
第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記計画算出部が算出した前記現在時刻以降の前記受電電力量の計画値と、（ｉｉｉ）前記需要家の契約電力に基づく目標電力量とを示す前記グラフを作成する作成部と、
前記作成部が作成した前記グラフを、表示装置の画面上に表示する表示制御部と
を備えるデマンド監視装置。
【請求項５】
前記計画算出部は、前記予測需要電力に基づいて、前記需要家に設置された分散型電源を含む前記電力機器の運転計画を算出することにより、前記分散型電源の出力電力を考慮した前記計画受電電力を算出する
請求項４に記載のデマンド監視装置。
【請求項６】
前記作成部は、前記予測需要電力に基づき算出される電力量をさらに示した前記グラフを作成する
請求項４または請求項５に記載のデマンド監視装置。
【請求項７】
前記作成部は、前記現在時刻以降の前記受電電力量の予測値または計画値の信頼区間をさらに示す前記グラフを作成する
請求項１〜請求項６のいずれか１項に記載のデマンド監視装置。
【請求項８】
さらに、前記現在時刻以降の受電電力量の予測値または計画値と前記目標電力量との関係に基づいて、管理者に対する通知および電力機器の制御のうちの少なくとも一方を実行する実行部を備え、
前記実行部は、さらに、前記受電電力量の予測値または計画値の信頼区間と前記目標電力量との関係に基づいて、管理者に対する通知および電力機器の制御のうちの少なくとも一方を実行する
請求項７に記載のデマンド監視装置。
【請求項９】
需要家の受電電力量を監視するデマンド監視方法であって、
デマンド時限ごとに、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測ステップと、
第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測ステップにおいて予測された前記現在時刻以降の受電電力量の予測値と、（ｉｉｉ）前記需要家の契約電力に基づく目標電力量とを示す前記グラフを作成する作成ステップと、
前記作成ステップにおいて作成された前記グラフを、表示装置の画面上に表示する表示制御ステップと
を含むデマンド監視方法。
【請求項１０】
需要家の受電電力量を監視するデマンド監視方法であって、
前記需要家の需要電力を予測した予測需要電力に基づいて、前記需要家に設置された電力機器の運転計画を算出することにより、前記需要家の受電電力の計画値である計画受電電力を算出する計画算出ステップと、
第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記計画算出ステップにおいて算出された前記現在時刻以降の前記受電電力量の計画値と、（ｉｉｉ）前記需要家の契約電力に基づく目標電力量とを示す前記グラフを作成する作成ステップと、
前記作成ステップにおいて作成された前記グラフを、表示装置の画面上に表示する表示制御ステップと
を含むデマンド監視方法。
【請求項１１】
需要家の受電電力量を監視するためのデマンド監視プログラムであって、
デマンド時限ごとに、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、
第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、
前記作成部が作成した前記グラフを、表示装置の画面上に表示する表示制御部と
してコンピュータを機能させるためのデマンド監視プログラム。
【請求項１２】
需要家の受電電力量を監視するデマンド監視プログラムであって、
前記需要家の需要電力を予測した予測需要電力に基づいて、前記需要家に設置された電力機器の運転計画を算出することにより、前記需要家の受電電力の計画値である計画受電電力を算出する計画算出部と、
第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記計画算出部が算出した前記現在時刻以降の前記受電電力量の計画値と、（ｉｉｉ）前記需要家の契約電力に基づく目標電力量とを示す前記グラフを作成する作成部と、
前記作成部が作成した前記グラフを、表示装置の画面上に表示する表示制御部と
してコンピュータを機能させるためのデマンド監視プログラム。
【請求項１３】
需要家の受電電力量を監視するデマンド監視装置であって、
デマンド時限ごとに、現在時刻までの前記需要家の受電電力量の他、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、
第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、
前記作成部が作成した前記グラフを、表示装置の画面上に表示する表示制御部と
を備えるデマンド監視装置。
【請求項１４】
需要家の受電電力量を監視するデマンド監視方法であって、
デマンド時限ごとに、現在時刻までの前記需要家の受電電力量の他、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測ステップと、
第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測ステップにおいて予測された前記現在時刻以降の受電電力量の予測値と、（ｉｉｉ）前記需要家の契約電力に基づく目標電力量とを示す前記グラフを作成する作成ステップと、
前記作成ステップにおいて作成された前記グラフを、表示装置の画面上に表示する表示制御ステップと
を含むデマンド監視方法。
【請求項１５】
需要家の受電電力量を監視するためのデマンド監視プログラムであって、
デマンド時限ごとに、現在時刻までの前記需要家の受電電力量の他、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、
第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、
前記作成部が作成した前記グラフを、表示装置の画面上に表示する表示制御部と
してコンピュータを機能させるためのデマンド監視プログラム。
【請求項１６】
需要家の受電電力量を監視するデマンド監視システムであって、
デマンド時限ごとに、現在時刻までの前記需要家の受電電力量の他、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、
第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、
前記作成部が作成した前記グラフを、表示装置の画面上に表示する表示制御部と
を備えるデマンド監視システム。
【請求項１７】
需要家の受電電力量を監視するデマンド監視システムであって、
前記需要家の需要電力を予測した予測需要電力に基づいて、前記需要家に設置された電力機器の運転計画を算出することにより、前記需要家の受電電力の計画値である計画受電電力を算出する計画算出部と、
第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記計画算出部が算出した前記現在時刻以降の前記受電電力量の計画値と、（ｉｉｉ）前記需要家の契約電力に基づく目標電力量とを示す前記グラフを作成する作成部と、
前記作成部が作成した前記グラフを、表示装置の画面上に表示する表示制御部と
を備えるデマンド監視システム。
【発明の詳細な説明】
【技術分野】
【０００１】
本発明は、デマンド監視装置、デマンド監視システム、デマンド監視方法およびデマンド監視プログラムに関する。
本出願は、２０１６年４月２２日出願の日本出願第２０１６−０８５８７７号に基づく優先権を主張し、前記日本出願に記載された全ての記載内容を援用するものである。
【背景技術】
【０００２】
ビルまたは工場などの需要家は、電力を供給する電力会社との間で供給を受ける最大電力（契約電力）を予め契約している。デマンド時限（例えば、３０分）の間に需要家が電力会社から受電する平均電力が契約電力を超えた場合には、需要家は電力会社に対して違約金の支払いを行う必要がある。このため、契約電力を超えないように需要家の受電電力を管理するデマンド監視装置が商品化されている（例えば、特許文献１および２参照）。【０００３】
従来のデマンド監視装置は、デマンド時限における受電電力量を予測し、デマンド時限終了時の受電電力量の予測値が目標電力量を超える場合には、警報の出力や管理者に対する電子メール送信等による管理者への通知を行ったり、需要家に設置された電力機器への電力供給を自動的に遮断するなどして電力機器を制御したりする。なお、目標電力量は契約電力に基づいて、デマンド時限における平均電力が契約電力を超えないような値に定められる。通知を受け取ったりした管理者は、電気機器への電力供給を手動で遮断等することにより、受電電力量が目標電力量を超えないようにすることができる。このような処理により、デマンド時限における平均電力が契約電力を超えないようにすることができる。【０００４】
また、従来のデマンド監視装置では、デマンド負荷曲線と呼ばれる受電電力の予測値を示したグラフが画面に表示される。管理者はこのグラフを見ることにより、受電電力量の予測値が目標電力量をどの程度超えそうであるかや、どの時点で目標電力量を超えそうであるかなどを知ることができる。【０００５】
図１４は、従来のデマンド負荷曲線のグラフの一例を示す図である。図１４に示すグラフの横軸は現在時刻を含むデマンド時限内の時間を示し、縦軸は電力会社からの受電電力量を示している。また、現在時刻をデマンド時限の開始から１５分過ぎの時刻と仮定している。グラフ上には、デマンド時限の開始から現在時刻までに電力会社から受電した電力量である受電電力量３５が示されている。また、グラフ上には、現在時刻からデマンド時限の終了までの間に電力会社から受電する電力量の予測値である予測受電電力量３７が示されている。【０００６】
予測受電電力量３７（Ｙ）は、現在時刻における受電電力量３５（Ｘ）と、現在時刻における受電電力量３５と現在時刻からΔｔ秒前の時刻における受電電力量３５とを結ぶ直線の傾き（Δｘ／Δｔ）と、現在時刻からデマンド時限終了時までの残り時間ｔとに基づいて、以下の式１により算出することができる。
Ｙ＝Ｘ＋（Δｘ／Δｔ）×ｔ      …（式１）【０００７】
さらに、グラフ上には、目標電力量３８が示されている。目標電力量３８は、契約電力に対応する電力量（＝契約電力×０．５時間）であってもよいし、契約電力に対応する電力量よりも所定電力量だけ低い値または高い値であってもよい。【０００８】
管理者は、図１４に示されたようなグラフを見ることによりデマンド時限の終了時点で予測受電電力量３７が目標電力量３８を超えるか否かを知ることができる。管理者は、予測受電電力量３７が目標電力量３８を超えそうな場合には、電力機器の電源をオフするなどの対策を実行することができる。
【先行技術文献】
【特許文献】
【０００９】
【特許文献１】特開２０１４−２３６５７９号公報
【特許文献２】特開２０１３−２４０１３７号公報
【発明の概要】
【００１０】
（１）本発明の一実施態様に係るデマンド監視装置は、需要家の受電電力量を監視するデマンド監視装置であって、デマンド時限ごとに、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、前記作成部が作成した前記グラフを、表示装置の画面上に表示する表示制御部とを備える。
【００１１】
（４）本発明の他の一実施態様に係るデマンド監視装置は、需要家の受電電力量を監視するデマンド監視装置であって、前記需要家の需要電力を予測した予測需要電力に基づいて、前記需要家に設置された電力機器の運転計画を算出することにより、前記需要家の受電電力の計画値である計画受電電力を算出する計画算出部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記計画算出部が算出した前記現在時刻以降の前記受電電力量の計画値と、（ｉｉｉ）前記需要家の契約電力に基づく目標電力量とを示す前記グラフを作成する作成部と、前記作成部が作成した前記グラフを、表示装置の画面上に表示する表示制御部とを備える。
【００１２】
（９）本発明の他の一実施態様に係るデマンド監視方法は、需要家の受電電力量を監視するデマンド監視方法であって、デマンド時限ごとに、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測ステップと、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測ステップにおいて予測された前記現在時刻以降の受電電力量の予測値と、（ｉｉｉ）前記需要家の契約電力に基づく目標電力量とを示す前記グラフを作成する作成ステップと、前記作成ステップにおいて作成された前記グラフを、表示装置の画面上に表示する表示制御ステップとを含む。
【００１３】
（１０）本発明の他の一実施態様に係るデマンド監視方法は、需要家の受電電力量を監視するデマンド監視方法であって、前記需要家の需要電力を予測した予測需要電力に基づいて、前記需要家に設置された電力機器の運転計画を算出することにより、前記需要家の受電電力の計画値である計画受電電力を算出する計画算出ステップと、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記計画算出ステップにおいて算出された前記現在時刻以降の前記受電電力量の計画値と、（ｉｉｉ）前記需要家の契約電力に基づく目標電力量とを示す前記グラフを作成する作成ステップと、前記作成ステップにおいて作成された前記グラフを、表示装置の画面上に表示する表示制御ステップとを含む。
【００１４】
（１１）本発明の他の一実施態様に係るデマンド監視プログラムは、需要家の受電電力量を監視するためのデマンド監視プログラムであって、デマンド時限ごとに、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、前記作成部が作成した前記グラフを、表示装置の画面上に表示する表示制御部としてコンピュータを機能させる。
【００１５】
（１２）本発明の他の一実施態様に係るデマンド監視プログラムは、需要家の受電電力量を監視するデマンド監視プログラムであって、前記需要家の需要電力を予測した予測需要電力に基づいて、前記需要家に設置された電力機器の運転計画を算出することにより、前記需要家の受電電力の計画値である計画受電電力を算出する計画算出部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記計画算出部が算出した前記現在時刻以降の前記受電電力量の計画値と、（ｉｉｉ）前記需要家の契約電力に基づく目標電力量とを示す前記グラフを作成する作成部と、前記作成部が作成した前記グラフを、表示装置の画面上に表示する表示制御部としてコンピュータを機能させる。
【００１６】
（１３）また、（１）のデマンド監視装置は以下のようにも表現できる。
すなわち、需要家の受電電力量を監視するデマンド監視装置であって、デマンド時限ごとに、現在時刻までの前記需要家の受電電力量の他、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、前記作成部が作成した前記グラフを、表示装置の画面上に表示する表示制御部とを備えるデマンド監視装置である。
【００１７】
（１４）また、（９）のデマンド監視方法は以下のようにも表現できる。
すなわち、需要家の受電電力量を監視するデマンド監視方法であって、デマンド時限ごとに、現在時刻までの前記需要家の受電電力量の他、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測ステップと、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測ステップにおいて予測された前記現在時刻以降の受電電力量の予測値と、（ｉｉｉ）前記需要家の契約電力に基づく目標電力量とを示す前記グラフを作成する作成ステップと、前記作成ステップにおいて作成された前記グラフを、表示装置の画面上に表示する表示制御ステップとを含むデマンド監視方法である。
【００１８】
（１５）また、（１１）のデマンド監視プログラムは以下のようにも表現できる。
すなわち、需要家の受電電力量を監視するためのデマンド監視プログラムであって、デマンド時限ごとに、現在時刻までの前記需要家の受電電力量の他、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、前記作成部が作成した前記グラフを、表示装置の画面上に表示する表示制御部としてコンピュータを機能させるためのデマンド監視プログラムである。
【００１９】
（１６）また、システムとしての観点からは、需要家の受電電力量を監視するデマンド監視システムであって、デマンド時限ごとに、現在時刻までの前記需要家の受電電力量の他、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、前記作成部が作成した前記グラフを、表示装置の画面上に表示する表示制御部とを備えるデマンド監視システムである。
【００２０】
（１７）また、システムとしての他の観点からは、需要家の受電電力量を監視するデマンド監視システムであって、前記需要家の需要電力を予測した予測需要電力に基づいて、前記需要家に設置された電力機器の運転計画を算出することにより、前記需要家の受電電力の計画値である計画受電電力を算出する計画算出部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記計画算出部が算出した前記現在時刻以降の前記受電電力量の計画値と、（ｉｉｉ）前記需要家の契約電力に基づく目標電力量とを示す前記グラフを作成する作成部と、前記作成部が作成した前記グラフを、表示装置の画面上に表示する表示制御部とを備えるデマンド監視システムである。
【００２１】
なお、本発明は、デマンド監視装置又はデマンド監視システムの一部又は全部を実現する半導体集積回路として実現することもできる。
【図面の簡単な説明】
【００２２】
【図１】本発明の実施の形態１に係るデマンド監視装置の構成を示すブロック図である。
【図２】予測部により予測された受電電力を示すグラフである。
【図３】作成部が作成したグラフの一例を示す図である。
【図４】本発明の実施の形態１に係るデマンド監視装置が実行する処理の流れを示すフローチャートである。
【図５】作成部が作成したグラフの一例を示す図である。
【図６】本発明の実施の形態２に係るデマンド監視装置の構成を示すブロック図である。
【図７】計画算出部が算出した計画受電電力および出力電力を示すグラフである。
【図８】作成部が作成したグラフの一例を示す図である。
【図９】本発明の実施の形態２に係るデマンド監視装置が実行する処理の流れを示すフローチャートである。
【図１０】作成部が作成したグラフの一例を示す図である。
【図１１】作成部が作成したグラフの一例を示す図である。
【図１２】図３に示したグラフに加え、他の目標電力量を含むグラフである。
【図１３】図８に示したグラフに加え、他の目標電力量を含むグラフである。
【図１４】従来のデマンド負荷曲線のグラフの一例を示す図である。
【図１５】例えば図１のブロック図における表示部を、ディスプレイやモニターのような表示のみの単機能を有する表示端末と、描画機能部とに分けて考えたブロック図である。
【図１６】デマンド監視システムとしての第１例を示す配置の概念図である。
【図１７】デマンド監視システムとしての第２例を示す配置の概念図である。
【図１８】デマンド監視システムとしての第３例を示す配置の概念図である。
【発明を実施するための形態】
【００２３】
［本開示が解決しようとする課題］
さて、従来のデマンド監視装置によると、図１４に示したように、予測受電電力量３７は、現在時刻の受電電力量３５と現在時刻からΔｔ秒前の時刻における受電電力量３５とに基づいて算出される。このため、一時的に受電電力量が大きくなった場合には、式１の傾き（Δｘ／Δｔ）が大きくなり、デマンド時限終了時の予測受電電力量３７が目標電力量３８を超えてしまう。よって、その後に受電電力量が小さくなり、デマンド時限終了時点の受電電力量が目標電力量３８以下となる場合であっても、管理者は電力量削減のための対策を実行しなければならず、過剰に電力量が削減されてしまうという課題がある。
【００２４】
また、一時的に受電電力量が大きくなった場合には、デマンド監視装置から管理者に対して警報または電子メールなどによる通知が行われる。このような通知は休日や深夜を問わずに行われ、通知の度に管理者は対応に追われることになり、管理者の負担が増える。
【００２５】
本開示はこのような事情に鑑みてなされたものであり、電力会社からの受電電力量が目標電力量を超過するか否かを高精度で予測することができるグラフを表示するデマンド監視装置、デマンド監視システム、デマンド監視方法およびデマンド監視プログラムを提供することを目的とする。
【００２６】
［本開示の効果］
本開示によると、電力会社からの受電電力量が目標電力量を超過するか否かを高精度で予測することができるグラフを表示することができる。
【００２７】
［実施形態の要旨］
本発明の実施形態の要旨としては、少なくとも以下のものが含まれる。
【００２８】
（１）本発明の一実施態様に係るデマンド監視装置は、需要家の受電電力量を監視するデマンド監視装置であって、デマンド時限ごとに、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、前記作成部が作成した前記グラフを、表示装置の画面上に表示する表示制御部とを備える。
【００２９】
この構成によると、予測部がデマンド時限よりも前の時間における需要家の需要電力、当該前の時間における需要家の発電電力、当該前の時間における需要家の受電電力、当該デマンド時限における需要家の既知のスケジュール、予測された気象情報、および観測された気象情報の少なくとも１つに基づいて、当該デマンド時限における受電電力を予測している。このため、デマンド時限内で一時的に電力を消費し過ぎて、受電電力が一時的に大きくなった場合であっても、予測部はそれとは無関係に受電電力を予測することができる。例えば、予測部は、統計的な予測手法を用いて、過去の所定期間においてデマンド時限と同一曜日かつ同一時間帯の受電電力に基づいて当該デマンド時限における受電電力を予測することができる。グラフ上に示される受電電力量の予測値は、予測部が予測した受電電力に基づいて算出される。よって、デマンド時限内で一時的に受電電力量が大きくなったとしても、その度に受電電力量の予測値が目標電力量を超えることはなく、正確に受電電力量の予測値をグラフ上に示すことができる。このため、管理者は、電力会社からの受電電力量が目標電力量を超過するか否かを高精度で予測することができる。これに伴い、不必要に管理者が受電電力量を削減するための対策を実行する必要がなくなる。なお、本明細書において、「需要家」とは、電力の供給を受け、利用する者のみならず、電力の供給を受け、利用する施設をも指すものとする。
【００３０】
（２）好ましくは、前記予測部は、デマンド時限ごとに、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つと、当該デマンド時限における前記需要家の需要電力、当該デマンド時限における前記需要家の発電電力、および当該デマンド時限における前記需要家の受電電力の少なくとも１つとに基づいて、当該デマンド時限における受電電力を予測する。
【００３１】
この構成によると、デマンド時限における需要電力、発電電力または受電電力の実績を加味して、デマンド時限における受電電力を予測することができる。例えば、デマンド時限よりも前の時間における需要家の受電電力に基づき算出されたデマンド時限における受電電力の予測値と、受電電力の実績値との間の距離が、所定値以上である場合には、受電電力の予測値と受電電力の実績値とが一致するように、受電電力の予測値を当該距離だけ増減させることにより、受電電力の予測値を修正する。これにより、受電電力の予測を正確に行うことができる。
【００３２】
（３）好ましくは、前記予測部は、受電電力を予測するための複数の予測手法を用いて、前記対象デマンド時限における受電電力を複数予測し、前記作成部は、前記現在時刻以降の受電電力量の予測値として、前記予測部が予測した前記現在時刻以降の受電電力量の複数の予測値を示した前記グラフを作成する。
【００３３】
この構成によると、複数の予測手法を用いて複数の受電電力が予測され、予測された複数の受電電力に基づいて現在時刻以降の受電電力量の予測値が複数算出される。算出された複数の受電電力量の予測値はグラフ上に示される。このため、管理者は、複数の受電電力量と目標電力量との関係を知ることができ、電力会社からの受電電力量が目標電力量を超過するか否かをより高精度で予測することができる。例えば、管理者は、複数の受電電力量の予測値のうち１つでも目標電力量を超過していれば、その時点で受電電力量を削減するための対策を実行してもよい。これにより、受電電力量の予測値を１つ表示する場合に比べて、受電電力量が目標電力量を超過するか否かを高精度で予測することができる。
【００３４】
（４）本発明の他の一実施態様に係るデマンド監視装置は、需要家の受電電力量を監視するデマンド監視装置であって、前記需要家の需要電力を予測した予測需要電力に基づいて、前記需要家に設置された電力機器の運転計画を算出することにより、前記需要家の受電電力の計画値である計画受電電力を算出する計画算出部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記計画算出部が算出した前記現在時刻以降の前記受電電力量の計画値と、（ｉｉｉ）前記需要家の契約電力に基づく目標電力量とを示す前記グラフを作成する作成部と、前記作成部が作成した前記グラフを、表示装置の画面上に表示する表示制御部とを備える。
【００３５】
この構成によると、電力機器の運転計画を算出することにより、受電電力の計画値（計画受電電力）が算出される。電力機器が運転計画通りに運転された場合には、受電電力は計画受電電力の通りとなる。このため、管理者は、受電電力量の計画値が示されたグラフを見ることにより、電力会社からの受電電力量が目標電力量を超過するか否かを高精度で予測することができる。これに伴い、不必要に管理者が受電電力量を削減するための対策を実行する必要がなくなる。なお、計画算出部が、受電電力量が目標電力量を超過しないように電力機器の運転計画を算出した場合には、電力機器が運転計画通りに運転される限り受電電力量が目標電力量を超過することはなくなる。このように、デマンド監視装置がＥＭＳ（エネルギー管理システム）の機能を有していることにより、受電電力量が目標電力量を超過しないように電力会社からの受電電力を制御することができる。
【００３６】
（５）好ましくは、前記計画算出部は、前記予測需要電力に基づいて、前記需要家に設置された分散型電源を含む前記電力機器の運転計画を算出することにより、前記分散型電源の出力電力を考慮した前記計画受電電力を算出する。
【００３７】
この構成によると、電力機器の運転計画を算出する際に、分散型電源の運転計画も算出される。これにより、分散型電源の発電量を考慮した上での受電電力量の計画値をグラフ上に示すことができる。
【００３８】
（６）また、前記作成部は、前記予測需要電力に基づき算出される電力量をさらに示した前記グラフを作成してもよい。
【００３９】
この構成によると、予測需要電力に対応した予測需要電力量をグラフ上に示すことができる。このため、受電電力量の計画値と予測需要電力量とを見比べることにより、分散型電源による発電量を知ることができる。つまり、予測需要電力量から受電電力量の計画値を減算した値が分散型電源による発電量となる。
【００４０】
（７）また、前記作成部は、前記現在時刻以降の前記受電電力量の予測値または計画値の信頼区間をさらに示す前記グラフを作成してもよい。
【００４１】
この構成によると、管理者は信頼区間が示されたグラフを見ることにより、受電電力量が目標電力量を超える可能性を知ることができる。例えば、対象デマンド時限の終了時に信頼区間の全部が目標電力量を超えている場合には受電電力量が目標電力量を超える可能性が極めて高いと判断することができる。このような場合には、管理者は電力機器の電源をオフするなどの対策を急いで実行することができる。
【００４２】
（８）好ましくは、上述のデマンド監視装置は、さらに、前記現在時刻以降の受電電力量の予測値または計画値と前記目標電力量との関係に基づいて、管理者に対する通知および電力機器の制御のうちの少なくとも一方を実行する実行部を備え、前記実行部は、さらに、前記受電電力量の予測値または計画値の信頼区間と前記目標電力量との関係に基づいて、管理者に対する通知および電力機器の制御のうちの少なくとも一方を実行する。
【００４３】
この構成によると、実行部は、受電電力量が目標電力量を超える可能性の大小に応じて、警報の出力および電力機器の制御のうちの少なくとも一方を実行することができる。例えば、対象デマンド時限の終了時に信頼区間の全部が目標電力量を超えているために受電電力量の予測値または計画値が目標電力量を超える可能性が相対的に高いと判断することができる場合には、管理者に電子メール等で通知するとともに即座に電力機器の電源をオフする制御を実行してもよい。また、対象デマンド時限の終了時に信頼区間の一部が目標電力量を超えているために受電電力量が目標電力量を超える可能性があるが、その可能性は相対的に低いと判断することができる場合には、管理者に電子メール等で通知するが電力機器の電源はそのままにしてもよい。また、可能性の大小に応じて、通知の内容を変更したり、電源をオフする電力機器を変更したりしてもよい。これにより、受電電力量が目標電力量を超える可能性がある場合に、きめ細やかな対策を実行することができる。
【００４４】
（９，１０）本発明の他の一実施態様に係るデマンド監視方法は、上述のデマンド監視装置が備える処理部に対応するステップを含んで構成される。このため、上述したデマンド監視装置と同様の作用および効果を奏することができる。
【００４５】
（１１，１２）本発明の他の一実施態様に係るデマンド監視プログラムは、上述のデマンド監視装置が備える処理部としてコンピュータを機能させるように構成される。このため、上述したデマンド監視装置と同様の作用および効果を奏することができる。
【００４６】
（１３）また、（１）のデマンド監視装置は以下のようにも表現できる。
すなわち、需要家の受電電力量を監視するデマンド監視装置であって、デマンド時限ごとに、現在時刻までの前記需要家の受電電力量の他、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、前記作成部が作成した前記グラフを、表示装置の画面上に表示する表示制御部とを備えるデマンド監視装置である。
【００４７】
（１４）また、（９）のデマンド監視方法は以下のようにも表現できる。
すなわち、需要家の受電電力量を監視するデマンド監視方法であって、デマンド時限ごとに、現在時刻までの前記需要家の受電電力量の他、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測ステップと、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測ステップにおいて予測された前記現在時刻以降の受電電力量の予測値と、（ｉｉｉ）前記需要家の契約電力に基づく目標電力量とを示す前記グラフを作成する作成ステップと、前記作成ステップにおいて作成された前記グラフを、表示装置の画面上に表示する表示制御ステップとを含むデマンド監視方法である。
【００４８】
（１５）また、（１１）のデマンド監視プログラムは以下のようにも表現できる。
すなわち、需要家の受電電力量を監視するためのデマンド監視プログラムであって、デマンド時限ごとに、現在時刻までの前記需要家の受電電力量の他、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、前記作成部が作成した前記グラフを、表示装置の画面上に表示する表示制御部としてコンピュータを機能させるためのデマンド監視プログラムである。
【００４９】
（１６）また、システムとしての観点からは、需要家の受電電力量を監視するデマンド監視システムであって、デマンド時限ごとに、現在時刻までの前記需要家の受電電力量の他、当該デマンド時限よりも前の時間における前記需要家の需要電力、当該前の時間における前記需要家の発電電力、当該前の時間における前記需要家の受電電力、当該デマンド時限における前記需要家の既知のスケジュール、予測された気象情報、および観測された気象情報の少なくとも１つに基づいて、当該デマンド時限における受電電力を予測する予測部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記予測部が予測した前記現在時刻以降の受電電力量の予測値と、（ｉｉｉ）前記需要家の契約電力に基づく目標電力量とを示す前記グラフを作成する作成部と、前記作成部が作成した前記グラフを、表示装置の画面上に表示する表示制御部とを備えるデマンド監視システムである。
【００５０】
（１７）また、システムとしての他の観点からは、需要家の受電電力量を監視するデマンド監視システムであって、前記需要家の需要電力を予測した予測需要電力に基づいて、前記需要家に設置された電力機器の運転計画を算出することにより、前記需要家の受電電力の計画値である計画受電電力を算出する計画算出部と、第１軸を監視対象のデマンド時限である対象デマンド時限内の時間または当該時間に対応する値の軸とし、第２軸を電力量または当該電力量に対応する値の軸とするグラフであって、（ｉ）現在時刻までの前記需要家の受電電力量と、（ｉｉ）前記計画算出部が算出した前記現在時刻以降の前記受電電力量の計画値と、（ｉｉｉ）前記需要家の契約電力に基づく目標電力量とを示す前記グラフを作成する作成部と、前記作成部が作成した前記グラフを、表示装置の画面上に表示する表示制御部とを備えるデマンド監視システムである。
【００５１】
［本願発明の実施形態の詳細］
以下、本発明の実施の形態について、図面を用いて詳細に説明する。なお、以下で説明する実施の形態は、いずれも本発明の好ましい一具体例を示すものである。以下の実施の形態で示される数値、形状、構成要素、構成要素の配置位置および接続形態、ステップ、ステップの順序などは、一例であり、本発明を限定する主旨ではない。本発明は、特許請求の範囲によって特定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００５２】
（実施の形態１）
［１−１．デマンド監視装置の構成］
図１は、本発明の実施の形態１に係るデマンド監視装置の構成を示すブロック図である。
【００５３】
デマンド監視装置１０は、ビルや工場などの需要家に設置され、デマンド時限（例えば、３０分間）ごとに、当該デマンド時限の間に需要家が電力会社から受電する電力量（受電電力量）が目標電力量を超えないように監視する装置である。デマンド監視装置１０は、ＣＰＵ（Central Processing Unit）、ＲＡＭ（Random Access Memory）、ＲＯＭ（Read Only Memory）およびＨＤＤ（Hard Disk Drive）などを備えるコンピュータシステムにより構成することができる。
【００５４】
デマンド監視装置１０は、電力値取得部１１と、予測部１２と、作成部１３と、表示制御部１４と、表示部１５と、実行部１６とを備える。処理部１１〜１４および１６は、ＣＰＵ上でコンピュータプログラムを実行することにより実現される機能的な処理部である。
【００５５】
電力値取得部１１は、需要家が電力会社から受電する電力（受電電力）の値を取得する。例えば、電力値取得部１１は、取引電力量計から出力されるパルスを、通信インタフェース等を介して受信し、受信したパルスに基づいて受電電力の値を算出する。
【００５６】
予測部１２は、デマンド時限ごとに、当該デマンド時限よりも前の時間における需要家の需要電力、当該前の時間における需要家の発電電力、当該前の時間における需要家の受電電力、当該デマンド時限における需要家の既知のスケジュール、予測された気象情報、および観測された気象情報の少なくとも１つに基づいて、当該デマンド時限における受電電力を予測する。つまり、予測部１２は、所定の受電電力の予測手法を用いて、各デマンド時限における受電電力を予測する。例えば、予測部１２は、過去３か月における当該デマンド時限と同一曜日かつ同一時間帯の受電電力の平均値を、所定時間（例えば、１分間）ごとに算出し、算出した受電電力の平均値を当該デマンド時限における受電電力と予測してもよい。
【００５７】
なお、発電設備が設置されていない需要家においては、需要電力が受電電力となる。このため、予測部１２は、需要電力から受電電力を予測することもできる。例えば、予測部１２は、過去２か月における当該デマンド時限と同一曜日かつ同一時間帯の需要電力の平均値を、所定時間（例えば、１分間）ごとに算出し、算出した需要電力の平均値を当該デマンド時限における受電電力と予測してもよい。
【００５８】
また、発電設備が設置されている需要家においては、需要電力から発電電力を減算した値が受電電力となる。このため、予測部１２は、需要電力および発電電力から受電電力を予測することもできる。例えば、予測部１２は、過去１か月における当該デマンド時限と同一曜日かつ同一時間帯の需要電力および発電電力のそれぞれの平均値を、所定時間（例えば、１分間）ごとに算出し、算出した需要電力の平均値から、算出した発電電力の平均値を減算した値を、当該デマンド時限における受電電力と予測してもよい。
【００５９】
また、予測部１２は、工場の操業計画などの需要家の既知のスケジュールに基づいて、デマンド時限における受電電力を予測してもよい。つまり、操業計画からデマンド時限における電力機器の稼働状態が予測できる場合には、予測部１２は、稼働状態から当該デマンド時限における受電電力を予測することができる。
【００６０】
また、予測部１２は、天気予報などの予測された気象情報を用いて、デマンド時限における受電電力を予測してもよい。例えば、予測気温とエアコンの需要電力との間に一定の関係性が見出されるような場合には、予測部１２は、予測気温から需要電力を予測し、需要電力に基づいて受電電力を予測することができる。
【００６１】
また、予測部１２は、気温計などにより観測された気象情報を用いて、デマンド時限における受電電力を予測してもよい。例えば、気温とエアコンの需要電力との間に一定の関係性が見出されるような場合には、予測部１２は、観測された気温から需要電力を予測し、需要電力に基づいて受電電力を予測することができる。
【００６２】
なお、受電電力の予測方法は、予測対象とされているデマンド時限における需要家の受電電力を用いずに受電電力を予測する方法であれば、上記した方法以外の方法であってもよい。
【００６３】
図２は、予測部１２により予測された受電電力（以下、「予測受電電力」という。）を示すグラフである。図２に示すグラフの横軸はデマンド時限内の時間を示し、縦軸は電力を示す。また、現在時刻を例えばデマンド時限の開始から１５分過ぎの時刻と仮定する。グラフ上に示された受電電力３１は、デマンド時限の開始時刻（０分）から現在時刻までの電力会社からの受電電力の実績値である。つまり、電力値取得部１１が取得した受電電力の実績値である。また、グラフ上には、予測部１２により予測された、現在時刻からデマンド時限の終了時刻（３０分）までの予測受電電力３２を示している。さらに、グラフ上には、式１で示した従来の方法により予測された予測受電電力３３を示している。予測受電電力３２と予測受電電力３３とを比較して分かるように、予測部１２により予測された予測受電電力３２は時間の経過とともに変化する値であるのに対して、従来の方法により予測された予測受電電力３３は一定の値である。また、同グラフには需要家と電力会社との間の契約電力に基づいて設定された目標電力３４が示されている。目標電力３４は、契約電力と同じ値であってもよいし、契約電力よりも所定電力だけ低い値または高い値であってもよい。
【００６４】
作成部１３は、需要家の電力会社からの受電電力量と、受電電力量の予測値と、目標電力量との関係を示したグラフを作成する。以下、グラフの具体例を示しながらより詳細に説明する。図３は、作成部１３が作成したグラフの一例を示す図である。図３に示すグラフの横軸は監視対象のデマンド時限（現在時刻が属するデマンド時限）である対象デマンド時限内の時間を示し、縦軸は電力量を示している。また、現在時刻を図２に示したグラフと同様に、例えばデマンド時限の開始から１５分過ぎの時刻と仮定する。同グラフには、受電電力量３５と、予測受電電力量３６と、予測受電電力量３７と、目標電力量３８とが示されている。受電電力量３５は、現在時刻までの需要家の受電電力量を示している。受電電力量３５は、電力値取得部１１が取得した受電電力の実績値（図２のグラフに示した受電電力３１）に基づいて算出される。予測受電電力量３６は、現在時刻から対象デマンド時限の終了時までの間の電力会社からの受電電力量の予測値を示す。つまり、予測受電電力量３６は、現在時刻の需要家の受電電力量に、予測部１２が予測した予測受電電力３２に基づき算出される現在時刻以降の予測受電電力量を加算することにより算出される。これにより、受電電力量３５と予測受電電力量３６とが連続した線となる。なお、電力量は、電力を時間で積分することにより算出される。予測受電電力量３７は、従来の予測方法に係る、現在時刻から対象デマンド時限の終了時までの電力会社からの受電電力量の予測値を示す。つまり、予測受電電力量３７は、現在時刻の需要家の受電電力量に、従来の方法により予測された予測受電電力３３に基づき算出される現在時刻以降の予測受電電力量を加算することにより算出される。これにより、受電電力量３５と予測受電電力量３７とが連続した線となる。目標電力量３８は、目標電力３４に対象デマンド時限の長さ（ここでは、０．５時間）を乗算することより求められる。
【００６５】
表示制御部１４は、作成部１３が作成したグラフを、表示部１５の画面上に表示する制御を行う。例えば、図３に示したようなグラフの画像データを表示部１５に出力することにより、表示部１５の画面上にグラフを表示させる。
【００６６】
表示部１５は、例えば、液晶ディスプレイ装置などの表示装置であり、表示制御部１４からグラフの画像データを受信し、受信した画像データを画面に表示する。
【００６７】
実行部１６は、現在時刻以降の予測受電電力量３６と目標電力量３８との関係に基づいて、需要家の管理者に対する通知および需要家に設置された電力機器の制御のうちの少なくとも一方を実行する。例えば、対象デマンド時限の終了時の予測受電電力量３６が目標電力量３８よりも大きくなっていれば、実行部１６は、管理者の電子メールアドレスに電子メールを送信することにより、予測受電電力量３６が目標電力量３８を超えそうになっていることを通知したり、電力機器の電源を自動的にオフしたり、電力機器であるエアコンの設定温度を変更したりする。これにより、予測受電電力量３６が目標電力量３８を超えるのを未然に防ぐことができる。
【００６８】
なお、電力機器は、生産機械などの電力調整が不可能あるいは可能であっても実際上調整が許されない非調整型の負荷装置を含む。また、電力機器は、照明、エアコンなどの、消費電力の調整が可能な調整型の負荷装置を含んでいてもよい。
【００６９】
［１−２．デマンド監視装置１０の処理フロー］
図４は、本発明の実施の形態１に係るデマンド監視装置１０が実行する処理の流れを示すフローチャートである。
【００７０】
予測部１２は、所定の受電電力の予測手法を用いて、デマンド時限ごとに当該デマンド時限よりも前の時間における需要家の需要電力、当該前の時間における需要家の発電電力、当該前の時間における需要家の受電電力、当該デマンド時限における需要家の既知のスケジュール、予測された気象情報、および観測された気象情報の少なくとも１つに基づいて、当該デマンド時限における受電電力を予測する（Ｓ１１）。これにより、例えば、図２に示したような予測受電電力３２を予測することができる。なお、予測部１２は、所定期間（例えば、２４時間）分の受電電力をまとめて予め予測してもよい。つまり、ステップＳ１１の処理は、以下に説明するステップＳ１２以降の処理とは独立に行うことができる。
【００７１】
電力値取得部１１は、需要家が電力会社から受電する受電電力の値を取得する（Ｓ１２）。これにより、例えば、図２に示したような受電電力３１の値を取得することができる。
【００７２】
作成部１３は、対象デマンド時限開始から現在時刻までの電力会社からの受電電力量３５と、現在時刻から対象デマンド時限終了までの予測受電電力量３６と、目標電力量３８との関係を示したグラフを作成する（Ｓ１３）。例えば、図３に示したようなグラフを作成する。作成部１３は、図３に示したようなグラフを現在時刻の経過とともに更新する。なお、作成部１３は、現在時刻が対象デマンド時限の終了時刻に達していれば、対象デマンド時限を更新し、新たにグラフを作り直す。
【００７３】
表示制御部１４は、作成部１３が作成したグラフを表示部１５の画面に表示する制御を行う（Ｓ１４）。これにより、例えば、図３に示したようなグラフが表示部１５の画面に表示される。
【００７４】
実行部１６は、対象デマンド時限終了時の予測受電電力量３６が目標電力量３８よりも大きいか否かを判定する（Ｓ１５）。例えば、図３に示したグラフでは、対象デマンド時限終了時（３０分）の予測受電電力量３６は、目標電力量３８よりも小さい。
【００７５】
実行部１６は、対象デマンド時限終了時の予測受電電力量３６が目標電力量３８よりも大きくなっていれば（Ｓ１５でＹＥＳ）、管理者の電子メールアドレスに電子メールを送信することにより、予測受電電力量３７が目標電力量３８を超えそうになっていることを通知したり、予め決められた電力機器の電源を自動的にオフしたり、電力機器であるエアコンの設定温度を変更したりする（Ｓ１６）。
【００７６】
なお、デマンド監視装置１０は、ステップＳ１２〜Ｓ１６の処理を、所定時間間隔（例えば、１分間隔）で繰り返し実行する。
【００７７】
［１−３．実施の形態１の効果等］
以上説明したように、本発明の実施の形態１によると、予測部１２がデマンド時限よりも前の時間における需要家の需要電力、当該前の時間における需要家の発電電力、当該前の時間における需要家の受電電力、当該デマンド時限における需要家の既知のスケジュール、予測された気象情報、および観測された気象情報の少なくとも１つに基づいて、当該デマンド時限における受電電力を予測している。このため、デマンド時限内で一時的に電力を消費し過ぎて、受電電力が一時的に大きくなった場合であっても、予測部１２はそれとは無関係に受電電力を予測することができる。例えば、予測部１２は、統計的な予測手法を用いて、過去の所定期間においてデマンド時限と同一曜日かつ同一時間帯の受電電力に基づいて当該デマンド時限における受電電力を予測することができる。図３に示したようなグラフ上に示される予測受電電力量３６は、予測部１２が予測した受電電力に基づいて算出される。よって、デマンド時限内で一時的に受電電力量３５が大きくなったとしても、その度に予測受電電力量３６が目標電力量３８を超えることはなく、正確に予測受電電力量３６をグラフ上に示すことができる。このため、管理者は、デマンド時限終了時の受電電力量が目標電力量３８を超過するか否かを高精度で予測することができる。これに伴い、不必要に管理者が受電電力量を削減するための対策を実行する必要がなくなる。
【００７８】
なお、従来のデマンド監視装置ではデマンド時限の開始から所定時間以内の期間を、通知処理または電力機器の制御を行わない期間としている。これは、この期間内でデマンド時限終了時の受電電力量が目標電力量３８を超えると予測されたとしても、予測の精度が悪く、最終的には受電電力量が目標電力量３８以下となる可能性も高いためである。しかし、実施の形態１のデマンド監視装置１０によると、予測部１２は、統計的な手法により受電電力を予測しているため、デマンド時限の開始時点から受電電力の予測の精度が高い。このため、デマンド時限の開始時からデマンド時限終了時の受電電力量が目標電力量３８を超えるか否かを予測することができる。これにより、実行部１６または管理者は、早い段階で必要な対策を実行することができる。
【００７９】
なお、図３に示したグラフにおいて、予測受電電力量３７を示すことは必須ではない。つまり、図５に示すように、グラフには、受電電力量３５と、予測受電電力量３６と、目標電力量３８とが示されていればよく、予測受電電力量３７は示されていなくてもよい。
【００８０】
（実施の形態２）
実施の形態１では、予測された受電電力に基づいて、受電電力量が目標電力量を超えるか否かの判断を行った。実施の形態２では、計画された受電電力に基づいて、受電電力量が目標電力量を超えるか否かの判断を行う例について説明する。以下の説明では、実施の形態１と同様の構成については同一の参照符号を付し、適宜説明を省略する。
【００８１】
［２−１．デマンド監視装置の構成］
図６は、本発明の実施の形態２に係るデマンド監視装置の構成を示すブロック図である。
【００８２】
デマンド監視装置２０は、ビルや工場などの需要家に設置され、デマンド時限（例えば、３０分間）ごとに、当該デマンド時限の間に需要家が電力会社から受電する電力量（受電電力量）が目標電力量を超えないように監視する装置である。それに加え、デマンド監視装置２０は、需要家に設置された電力機器の運転計画を算出し、算出した運転計画に従って、電力機器の運転を制御するＥＭＳの機能も有する。デマンド監視装置２０は、ＣＰＵ、ＲＡＭ、ＲＯＭおよびＨＤＤなどを備えるコンピュータシステムにより構成することができる。
【００８３】
なお、需要家に設置された電力機器は、実施の形態１と同様に、非調整型または調整型の負荷装置を含む。それに加え、実施の形態２では、当該電力機器は、発電装置または蓄電装置などの分散型電源を含む。
【００８４】
発電装置は、例えば、ガスやディーゼル油などの燃焼エネルギーまたは燃料電池などの、化学変化によるエネルギーを電気エネルギーに変換する発電装置を含む。また、発電装置は、太陽光エネルギーを電力に変換する太陽光発電装置を含んでいてもよい。
【００８５】
蓄電装置は、例えば、レドックスフロー（ＲＦ）電池、リチウムイオン電池、溶融塩電池、鉛蓄電池などの二次電池を含む。なお、これらの二次電池に代えてフライホイールバッテリーや揚水発電機などが用いられてもよい。
【００８６】
デマンド監視装置２０は、電力値取得部１１と、予測部１２と、計画算出部２１と、機器制御部２２と、作成部２３と、表示制御部１４と、表示部１５と、実行部２４とを備える。処理部１１、１２、１４および２１〜２４は、ＣＰＵ上でコンピュータプログラムを実行することにより実現される機能的な処理部である。
【００８７】
電力値取得部１１は、実施の形態１と同様に、取引電力計から受信したパルス等に基づいて、需要家が電力会社から受電する受電電力の値を取得する。
【００８８】
予測部１２は、デマンド時限ごとに、当該デマンド時限において需要家に設置された負荷装置が消費する電力（需要電力）を予測する。需要電力は、所定の需要電力の予測手法を用いて予測することができる。例えば、予測部１２は、過去３か月における当該デマンド時限と同一曜日かつ同一時間帯の需要電力の平均値を、所定時間（例えば、１分間）ごとに算出し、算出した需要電力の平均値を当該デマンド時限における需要電力と予測してもよい。なお、需要電力の予測方法は、予測対象とされているデマンド時限における需要家の需要電力を用いずに需要電力を予測する方法であれば、上記した方法以外の方法であってもよい。例えば、実施の形態１に示した予測部１２と同様に、需要家の既知のスケジュールや天気予報などの予測された気象情報、気温計などによって観測された気象情報を用いて、需要家の需要電力を予測してもよい。
【００８９】
計画算出部２１は、予測部１２が需要家の需要電力を予測した予測需要電力に基づいて、需要家に設置された電力機器の運転計画を算出する。運転計画の算出方法は、所定の方法を用いることができる。例えば、計画算出部２１は、負荷装置が予測需要電力を消費し、かつ、電力会社からの受電電力が目標電力を超えないという制約条件の下で、コストを示す目的関数の値を最小化するという最適化問題を解くことにより、電力機器の運転計画を算出する。最適化問題は、線形計画法などを用いて定式化することができる。電力機器の運転計画を算出することにより、負荷装置および分散型電源の運転状態が決定される。つまり、負荷装置による需要電力が目標電力を超える場合には、分散型電源が発電や放電等を行い、電力を出力するように運転状態が決定される。これにより、計画算出部２１は、需要家の受電電力の計画値である計画受電電力を算出する。また、計画算出部２１は、分散型電源が発電や放電等により出力する出力電力を算出する。なお、電力機器の運転計画の算出方法は上記した方法に限定されるものではない。
【００９０】
図７は、計画算出部２１が算出した計画受電電力および出力電力を示すグラフである。図７に示すグラフの横軸はデマンド時限内の時間を示し、縦軸は電力を示す。また、現在時刻を例えばデマンド時限の開始から１５分過ぎの時刻と仮定する。グラフ上に示された受電電力３１は、デマンド時限の開始時刻（０分）から現在時刻までの電力会社からの受電電力の実績値である。つまり、電力値取得部１１が取得した受電電力の実績値である。また、グラフ上には、予測部１２により予測された、現在時刻からデマンド時限の終了時刻（３０分）までの予測需要電力４１を示している。さらに、グラフ上には、計画算出部２１により算出された、現在時刻からデマンド時限の終了時刻（３０分）までの計画受電電力４２および出力電力４３を示している。また、同グラフには需要家と電力会社との間の契約電力に基づいて設定された目標電力３４が示されている。目標電力３４は、契約電力と同じ値であってもよいし、契約電力よりも所定電力だけ低い値または高い値であってもよい。
【００９１】
図７に示すグラフから分かるように、現在時刻以降では予測需要電力４１が目標電力３４を超える状態が続いているため、分散型電源が電力を出力し受電電力を下げるように制御が行われる。これにより、現在時刻以降で出力電力４３が正となり、それに伴い、計画受電電力４２が予測需要電力４１よりも低くなるように計画されている。
【００９２】
機器制御部２２は、計画算出部２１が算出した電力機器の運転計画に従って、負荷装置および分散型電源を含む電力機器を制御する。
【００９３】
作成部２３は、需要家の電力会社からの受電電力量と、受電電力量の計画値と、需要電力量の予測値と、目標電力量との関係を示したグラフを作成する。以下、グラフの具体例を示しながらより詳細に説明する。図８は、作成部２３が作成したグラフの一例を示す図である。図８に示すグラフの横軸は対象デマンド時限内の時間を示し、縦軸は電力量を示している。また、現在時刻を図７に示したグラフと同様に、例えばデマンド時限の開始から１５分過ぎの時刻と仮定する。同グラフには、受電電力量３５と、計画受電電力量４４と、予測需要電力量４５と、目標電力量３８とが示されている。受電電力量３５は、現在時刻までの需要家の受電電力量を示している。受電電力量３５は、電力値取得部１１が取得した受電電力の実績値（図７のグラフに示した受電電力３１）に基づいて算出される。計画受電電力量４４は、計画算出部２１が算出した現在時刻以降の計画受電電力に基づいて算出される受電電力量の計画値である。予測需要電力量４５は、予測部１２が予測した現在時刻以降の予測需要電力４１に基づいて算出される需要電力量の計画値である。目標電力量３８は、目標電力３４に対象デマンド時限の長さ（ここでは、０．５時間）を乗算することより求められる。
【００９４】
なお、計画受電電力量４４は、現在時刻の需要家の受電電力量３５に、計画算出部２１が計画した計画受電電力４２に基づき算出される現在時刻以降の受電電力量の計画値を加算することにより算出される。これにより、受電電力量３５と計画受電電力量４４とが連続した線となる。予測需要電力量４５についても同様に、現在時刻の需要家の受電電力量３５に、予測部１２が予測した予測需要電力４１に基づき算出される現在時刻以降の需要電力の予測値を加算することにより算出される。
【００９５】
表示制御部１４は、作成部２３が作成したグラフを、表示部１５の画面上に表示する制御を行う。例えば、図８に示したようなグラフの画像データを表示部１５に出力することにより、表示部１５の画面上にグラフを表示させる。
【００９６】
表示部１５は、例えば、液晶ディスプレイ装置などの表示装置であり、表示制御部１４からグラフの画像データを受信し、受信した画像データを画面に表示する。
【００９７】
実行部２４は、現在時刻以降の計画受電電力量４４と目標電力量３８との関係に基づいて、需要家の管理者に対する通知および需要家に設置された電力機器の制御のうちの少なくとも一方を実行する。例えば、対象デマンド時限の終了時の計画受電電力量４４が目標電力量３８よりも大きくなっていれば、実行部１６は、管理者の電子メールアドレスに電子メールを送信することにより、計画受電電力量４４が目標電力量３８を超えそうになっていることを通知したり、電力機器の電源を自動的にオフしたり、電力機器であるエアコンの設定温度を変更したりする。これにより、計画受電電力量４４が目標電力量３８を超えるのを未然に防ぐことができる。
【００９８】
［２−２．デマンド監視装置２０の処理フロー］
図９は、本発明の実施の形態２に係るデマンド監視装置２０が実行する処理の流れを示すフローチャートである。
受電電力の予測処理（Ｓ１１）は、実施の形態１と同様である。
【００９９】
計画算出部２１は、予測部１２が予測した予測需要電力に基づいて、需要家に設置された電力機器の運転計画を算出する（Ｓ２１）。
【０１００】
機器制御部２２は、計画算出部２１が算出した電力機器の運転計画に従って、負荷装置および分散型電源を含む電力機器を制御する（Ｓ２２）。なお、ステップＳ１１、Ｓ２１およびＳ２２の処理は、以下に説明するステップＳ１２以降の処理とは独立に行うことができる。
【０１０１】
電力値取得部１１は、需要家が電力会社から受電する受電電力の値を取得する（Ｓ１２）。これにより、例えば、図７に示したような受電電力３１の値を取得することができる。
【０１０２】
作成部２３は、需要家の電力会社からの受電電力量と、受電電力量の計画値と、需要電力量の予測値と、目標電力量との関係を示したグラフを作成する（Ｓ２３）。例えば、図８に示したようなグラフを作成する。作成部２３は、図８に示したようなグラフを現在時刻の経過とともに更新する。なお、作成部２３は、現在時刻が対象デマンド時限の終了時刻に達していれば、対象デマンド時限を更新し、新たなグラフを作り直す。
【０１０３】
表示制御部１４は、作成部２３が作成したグラフを表示部１５の画面に表示する制御を行う（Ｓ１４）。これにより、例えば、図８に示したようなグラフが表示部１５の画面に表示される。
【０１０４】
実行部２４は、対象デマンド時限終了時の計画受電電力量４４が目標電力量３８よりも大きいか否かを判定する（Ｓ２４）。例えば、図８に示したグラフでは、対象デマンド時限終了時（３０分）の計画受電電力量４４は、目標電力量３８と同じである。
【０１０５】
実行部２４は、対象デマンド時限終了時の計画受電電力量４４が目標電力量３８よりも大きくなっていれば（Ｓ２４でＹＥＳ）、実施の形態１と同様に、管理者への通知処理および電力機器の制御処理のうちの少なくとも一方を実行する（Ｓ１６）。
【０１０６】
なお、デマンド監視装置２０は、ステップＳ１２〜Ｓ１６の処理を、所定時間間隔（例えば、１分間隔）で繰り返し実行する。
【０１０７】
［２−３．実施の形態２の効果等］
以上説明したように、本発明の実施の形態２によると、電力機器の運転計画を算出することにより、計画受電電力４２が算出される。電力機器が運転計画通りに運転された場合には、受電電力は計画受電電力４２の通りとなる。このため、管理者は、計画受電電力量４４が示されたグラフを見ることにより、デマンド時限終了時の受電電力量が目標電力量３８を超過するか否かを高精度で予測することができる。これに伴い、不必要に管理者が受電電力量を削減するための対策を実行する必要がなくなる。なお、計画算出部２１は、受電電力量が目標電力量３８を超過しないように電力機器の運転計画を算出するため、電力機器が運転計画通りに運転される限り受電電力量が目標電力量３８を超過することはなくなる。このように、デマンド監視装置２０がＥＭＳの機能を有していることにより、受電電力量が目標電力量３８を超過しないように電力会社からの受電電力を制御することができる。
【０１０８】
なお、グラフ上に示される現在時刻以降の計画受電電力量４４は、現在時刻の需要家の受電電力量３５に、計画算出部２１が計画した計画受電電力４２に基づき算出される現在時刻以降の計画受電電力量を加算することにより算出される。つまり、電力機器が運転計画通りに運転されなかった場合には、現在時刻の受電電力量３５が計画とはずれるが、それを考慮して現在時刻以降の計画受電電力４２を算出することができる。このため、管理者はグラフを見ることにより、受電電力量３５が計画値からずれた場合であっても、デマンド時限終了時の受電電力量が目標電力量３８を超過するか否かを高精度で予測することができる。当該受電電力量が目標電力量３８を超えそうな場合には、管理者は電力機器の電源をオフするなどの必要な対策を実行することができる。
【０１０９】
なお、実施の形態１でも説明したように、従来のデマンド監視装置ではデマンド時限の開始から所定時間以内の期間を、通知処理または電力機器の制御を行わない期間としている。しかし、実施の形態２のデマンド監視装置２０によると、計画算出部２１は、電力会社からの受電電力を事前に計画することができる。このため、デマンド時限の開始時からデマンド時限終了時の受電電力量が目標電力量３８を超えるか否かを予測することができる。これにより、実行部２４または管理者は、早い段階で必要な対策を実行することができる。
【０１１０】
また、計画算出部２１は、電力機器の運転計画を算出する際に、分散型電源の運転計画も算出している。これにより、作成部２３は、分散型電源の発電量を考慮した計画受電電力量４４を示したグラフを作成することができる。
【０１１１】
また、作成部２３は、予測需要電力４１に対応した予測需要電力量４５をグラフ上に示すことができる。このため、管理者は、計画受電電力量４４と予測需要電力量４５とを見比べることにより、分散型電源による発電量を知ることができる。つまり、予測需要電力量４５から計画受電電力量４４を減算した値が分散型電源による発電量となる。ただし、予測需要電力量４５をグラフ上に示すことは必須ではない。つまり、図８に示したグラフ上においては、受電電力量３５と、計画受電電力量４４と、目標電力量３８とが示されていればよく、予測需要電力量４５は示されていなくてもよい。
【０１１２】
［３．付記］
以上、本発明の実施の形態に係るデマンド監視装置について説明したが、本発明は、この実施の形態に限定されるものではない。
【０１１３】
たとえば、実施の形態１では、予測部１２は、デマンド時限ごとに、当該デマンド時限よりも前の時間における需要家の需要電力、当該前の時間における需要家の発電電力、当該前の時間における需要家の受電電力、当該デマンド時限における需要家の既知のスケジュール、予測された気象情報、および観測された気象情報の少なくとも１つに基づいて、当該デマンド時限における受電電力を予測した。予測部１２は、さらに、デマンド時限における電力の実績値を用いて、当該デマンド時限における受電電力を予測してもよい。
【０１１４】
つまり、予測部１２は、デマンド時限ごとに、当該デマンド時限よりも前の時間における需要家の需要電力、当該前の時間における需要家の発電電力、当該前の時間における需要家の受電電力、当該デマンド時限における需要家の既知のスケジュール、予測された気象情報、および観測された気象情報の少なくとも１つと、当該デマンド時限における需要家の需要電力、当該デマンド時限における需要家の発電電力、および当該デマンド時限における需要家の受電電力の少なくとも１つとに基づいて、当該デマンド時限における受電電力を予測してもよい。
【０１１５】
たとえば、着目しているデマンド時限（着目デマンド時限）よりも前の時間における需要家の受電電力に基づき算出された着目デマンド時限における受電電力の予測値と、着目デマンド時限における受電電力の実績値との間の距離が、所定値以上となった場合に、予測部１２は、受電電力の予測値と受電電力の実績値とが一致するように、受電電力の予測値を当該距離だけ増減させることにより、受電電力の予測値を修正する。これにより、受電電力の予測値が受電電力の実績値に比べて大幅にずれた場合であっても、受電電力を正確に予測し直すことができる。
【０１１６】
また、実施の形態１では、予測部１２は、対象デマンド時限における受電電力を予測したが、受電電力を予測するための予測手法として、複数の予測手法を用いてもよい。なお、各予測手法は、種々の手法を用いることができる。この場合、作成部１３は、予測手法ごとに現在時刻以降の予測受電電力量を示したグラフを作成する。
【０１１７】
図１０は、作成部１３が作成したグラフの一例を示す図である。グラフには、需要家の電力会社からの受電電力量３５と、予測受電電力量３６Ａ〜３６Ｃと、目標電力量３８とが示されている。予測受電電力量３６Ａ〜３６Ｃは、予測部１２が予測した複数（ここでは３つ）の受電電力に基づいて算出される。予測受電電力量３６Ａ〜３６Ｃの各々は、図３に示した予測受電電力量３６と同様に、受電電力量３５と、予測部１２が予測した各予測受電電力とに基づいて算出される。
【０１１８】
複数の予測受電電力量３６Ａ〜３６Ｃをグラフ上に示すことにより、管理者は、複数の受電電力量と目標電力量との関係を知ることができ、電力会社からの受電電力量が目標電力量３８を超過するか否かをより高精度で予測することができる。例えば、管理者は、複数の予測受電電力量３６Ａ〜３６Ｃのうち１つでも目標電力量３８を超過していれば、その時点で受電電力量を削減するための対策を実行してもよい。これにより、管理者は、予測受電電力量を１つ表示する場合に比べて、受電電力量が目標電力量３８を超過するか否かを高精度で予測することができる。
【０１１９】
また、作成部１３は、さらに、予測受電電力量の信頼区間を示したグラフを作成してもよい。図１１は、作成部１３が作成したグラフの一例を示す図である。作成部１３は、図５に示したグラフに、さらに、現在時刻以降の予測受電電力量３６の信頼区間（信頼線５０Ａおよび５０Ｂ）を示したグラフを作成する。信頼線５０Ａおよび５０Ｂで示される信頼区間は、例えば、信頼度９９．７３％の区間としてもよい。信頼線５０Ａおよび５０Ｂは、予測受電電力量３６の母集団を正規分布と仮定したときの、いわゆる予測受電電力量３６の平均値＋３σと、当該平均値−３σとを示す。管理者は信頼区間が示されたグラフを見ることにより、受電電力量が目標電力量３８を超える可能性を知ることができる。例えば、対象デマンド時限の終了時に信頼区間の全部が目標電力量３８を超えている場合には受電電力量が目標電力量３８を超える可能性が極めて高いと判断することができる。このような場合には、管理者は電力機器の電源をオフするなどの対策を急いで実行することができる。なお、図８に示した計画受電電力量４４についても同様に信頼区間を示してもよい。
【０１２０】
また、実行部１６は、予測受電電力量３６の信頼区間と目標電力量３８との関係に基づいて、管理者に対する通知および電力機器の制御のうちの少なくとも一方を実行してもよい。これにより、実行部１６は、受電電力量が目標電力量３８を超える可能性の大小に応じて、警報の出力および電力機器の制御のうちの少なくとも一方を実行することができる。例えば、対象デマンド時限の終了時に信頼区間の全部が目標電力量３８を超えているために（信頼線５０Ａおよび５０Ｂが目標電力量３８を超えているために）受電電力量が目標電力量３８を超える可能性が相対的に高いと判断することができる場合には、実行部１６は、管理者に電子メール等で通知するとともに即座に電力機器の電源をオフする制御を実行してもよい。また、対象デマンド時限の終了時に信頼区間の一部が目標電力量３８を超えているために（例えば、信頼線５０Ａが目標電力量３８を超えているが信頼線５０Ｂが目標電力量３８を超えていないために）受電電力量が目標電力量３８を超える可能性があるが、その可能性は相対的に低いと判断することができる場合には、実行部１６は、管理者に電子メール等で通知するが電力機器の電源はそのままにしてもよい。また、可能性の大小に応じて、通知の内容を変更したり、電源をオフする電力機器を変更したりしてもよい。これにより、受電電力量が目標電力量３８を超える可能性がある場合に、きめ細やかな対策を実行することができる。
【０１２１】
また、実施の形態１に係る作成部１３は、１つの目標電力量３８を示すグラフを作成したが、複数の目標電力量３８を示すグラフを作成してもよい。図１２は、図３に示したグラフに加え、目標電力量３８Ａおよび３８Ｂを含むグラフである。目標電力量３８Ａは、目標電力量３８よりも低い値を有し、目標電力量３８Ｂは、目標電力量３８よりも高い値を有する。目標電力量３８Ａおよび３８Ｂは、目標電力量３８を基準に設定され、例えば、目標電力量３８に一定値を加算または乗算することにより算出されてもよい。実行部１６は、予測受電電力量３６と目標電力量３８、３８Ａおよび３８Ｂとの関係に基づいて、需要家の管理者に対する通知および需要家に設置された電力機器の制御のうちの少なくとも一方を実行する。例えば、予測受電電力量３６が目標電力量３８Ａを超えた場合には、実行部１６は、予測受電電力量３６が目標電力量３８Ａを超え、間もなく目標電力量３８を超えそうであることを示すメッセージを電子メールで管理者に通知する。予測受電電力量３６が目標電力量３８を超えた場合には、実行部１６は、予測受電電力量３６が目標電力量３８を超えたことを示すメッセージを電子メールで管理者に通知する。予測受電電力量３６が目標電力量３８Ｂを超えた場合には、実行部１６は、電力機器の電源をオフするとともに、管理者に電力機器の電源をオフしたことを示すメッセージを電子メールで管理者に通知する。これにより、実行部１６は、予測受電電力量３６と複数の目標電力量３８、３８Ａおよび３８Ｂとの関係に基づいて、きめ細やかな対策を実行することができる。
【０１２２】
また、実施の形態２に係る作成部２３も同様に、複数の目標電力量３８を含むグラフを作成してもよい。図１３は、図８に示したグラフに加え、目標電力量３８Ａおよび３８Ｂを含むグラフである。目標電力量３８Ａおよび３８Ｂは、図１２と同様に設定される。実行部２４は、現在時刻以降の計画受電電力量４４と目標電力量３８、３８Ａおよび３８Ｂとの関係に基づいて、需要家の管理者に対する通知および需要家に設置された電力機器の制御のうちの少なくとも一方を実行する。実行部２４が実行する処理は、予測受電電力量３６が計画受電電力量４４に変わった以外は、図１２を用いて説明した実行部１６が実行する処理と同様である。このため、その詳細な説明はここでは繰り返さない。
【０１２３】
また、実施の形態１および２に示したグラフでは、横軸に時間を示したが、横軸に時間に対応する値を示してもよい。例えば、デマンド時限である３０分間を１００％としたときの百分率を横軸に示してもよい。また、縦軸に電力量を示したが、縦軸に電力量に対応する値を示してもよい。例えば、目標電力量を１００％とした時の百分率を縦軸に示してもよい。また、縦軸と横軸とは相互に入れ替え可能である。
【０１２４】
また、デマンド監視装置を構成する構成要素の一部または全部は、システムＬＳＩから構成されているとしてもよい。システムＬＳＩは、複数の構成部をチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１２５】
また、本発明は、上記に示す方法であるとしてもよい。また、本発明は、これらの方法をコンピュータにより実現するコンピュータプログラムであるとしてもよいし、上記コンピュータプログラムからなるデジタル信号であるとしてもよい。
【０１２６】
さらに、本発明は、上記コンピュータプログラムまたは上記デジタル信号をコンピュータ読取可能な非一時的な記録媒体、例えば、ハードディスクドライブ、ＣＤ−ＲＯＭ、半導体メモリなどに記録したものとしてもよい。また、これらの非一時的な記録媒体に記録されている上記デジタル信号であるとしてもよい。
【０１２７】
また、本発明は、上記コンピュータプログラムまたは上記デジタル信号を、電気通信回線、無線または有線通信回線、インターネットを代表とするネットワーク、データ放送等を経由して伝送するものとしてもよい。
【０１２８】
また、上記プログラムに含まれる各ステップは、複数のコンピュータにより実行されてもよい。
さらに、上記実施の形態および上記変形例をそれぞれ組み合わせるとしてもよい。
【０１２９】
（実施の形態３）
なお、上記の実施の形態１，２におけるデマンド監視装置は、物理的に一体あるいは互いに近接配置されて１セットを成す装置として構成されていてもよいが、そうでなくてもよい。すなわち、デマンド監視のための構成要素は、存在する場所の制約を受けることなく、全体としてデマンド監視システムを構成するものとして、空間的に互いに分離して存在することも可能である。
【０１３０】
図１５は、例えば図１のブロック図における表示部１５（表示装置）を、ディスプレイやモニターのような表示のみの単機能を有する表示端末Ｐ１と、描画機能部Ｐ２とに分けて考えたブロック図である。ここで、表示制御部１４は、表示する内容を作成する機能（例えばＷｅｂサーバ）を有する表示内容作成機能部Ｐ３とし、さらに、（予測部１２＋作成部１３）は、表示に使用する数値を作成（予測、計画等）する数値作成機能部Ｐ４とする。これら各要素Ｐ１，Ｐ２，Ｐ３，Ｐ４の空間的な所在について考える。
【０１３１】
図１６〜１８は、それぞれ、デマンド監視システムとしての一例を示す配置の概念図である。図中の要素間を互いに繋ぐ線は、実線が有線又は無線による映像出力を示し、点線は有線又は無線によるネットワーク接続を示している。
【０１３２】
まず、図１６では、複数の表示端末Ｐ１のみが空間的に離れた位置にあり、その他の描画機能部Ｐ２、表示内容作成機能部Ｐ３及び数値作成機能部Ｐ４は、ひとかたまりに存在している。この場合、複数の表示端末Ｐ１を、描画機能部Ｐ２、表示内容作成機能部Ｐ３及び数値作成機能部Ｐ４から空間的に離して分散設置することができる。
【０１３３】
次に、図１７では、図１６と比べて、表示端末Ｐ１は同様であるが、描画機能部Ｐ２及び表示内容作成機能部Ｐ３がひとかたまりで、数値作成機能部Ｐ４は、描画機能部Ｐ２及び表示内容作成機能部Ｐ３から空間的に離れている。この場合、描画機能部Ｐ２及び表示内容作成機能部Ｐ３を、物理的に独立した装置とすることができる。また、数値作成機能部Ｐ４の設置場所にも任意性がある。
【０１３４】
次に、図１８では、表示端末Ｐ１、描画機能部Ｐ２、表示内容作成機能部Ｐ３、及び、数値作成機能部Ｐ４がそれぞれ独立して空間的に離れている。表示端末Ｐ１及び描画機能部Ｐ２は、表示内容作成機能部Ｐ３の傘下に、複数組設けることができる。この場合、表示内容作成機能部Ｐ３の設置場所の任意性が生じるとともに、表示内容作成機能部Ｐ３の傘下でネットワーク配信が可能となる。この場合の表示端末Ｐ１及び描画機能部Ｐ２としては、例えば、スマートフォンやタブレットコンピュータを用いることもできる。
【０１３５】
なお、図１８の構成のうち、数値作成機能部Ｐ４を除く部分を複数セット設けて、それらの上位に数値作成機能部Ｐ４を設け、複数セットを傘下に置くこともできる。また、数値作成機能部Ｐ４の上位に、別のコンピュータを設けることも可能である。
【０１３６】
このように種々の配置のバリエーションが考えられ、「デマンド監視システム」の構成要素は、その空間的若しくは地理的な所在や、所有者をも制限されることなく存在し得る。また、場所としては、クラウドのような仮想的な場所もあり得る。もちろん、図１６〜１８は例示に過ぎず、その他、種々の配置構成が可能である。
【０１３７】
（補記）
今回開示された実施の形態はすべての点で例示であって制限的なものではないと考えられるべきである。本発明の範囲は、上記した意味ではなく、請求の範囲によって示され、請求の範囲と均等の意味および範囲内でのすべての変更が含まれることが意図される。
【符号の説明】
【０１３８】
１０、２０    デマンド監視装置
１１    電力値取得部
１２    予測部
１３、２３    作成部
１４    表示制御部
１５    表示部
１６、２４    実行部
２１    計画算出部
２２    機器制御部
Ｐ１    表示端末
Ｐ２    描画機能部
Ｐ３    表示内容作成機能部
Ｐ４    数値作成機能部
【図１】
2017183337.tif 000003
【図２】
2017183337.tif 000004
【図３】
2017183337.tif 000005
【図４】
2017183337.tif 000006
【図５】
2017183337.tif 000007
【図６】
2017183337.tif 000008
【図７】
2017183337.tif 000009
【図８】
2017183337.tif 000010
【図９】
2017183337.tif 000011
【図１０】
2017183337.tif 000012
【図１１】
2017183337.tif 000013
【図１２】
2017183337.tif 000014
【図１３】
2017183337.tif 000015
【図１４】
2017183337.tif 000016
【図１５】
2017183337.tif 000017
【図１６】
2017183337.tif 000018
【図１７】
2017183337.tif 000019
【図１８】
2017183337.tif 000020
【国際調査報告】
2017183337.tif 000021
2017183337.tif 000022
2017183337.tif 000023
2017183337.tif 000024